(57)【要約】      （修正有）【課題】装飾品として自由に常設でき違和感なくリビング、あるいは机上に置くことができ、必要時にそれぞれ２分割することにより仏具として使用する組み合わせ仏具を提供する。【解決手段】インテリアとしても使える分割可能な組み合わせ仏具において、外観は装飾性を有する略洋ナシ型形状からなり、下方には嵌合部２を有する本体と前記嵌合部凹に嵌る嵌合部を有し、その内部は凹の部の台座体からなることを特徴とするものである。【選択図】図３
0003168930.tif 000002
【実用新案登録請求の範囲】
【請求項１】
インテリアとしても使える分割可能な組み合わせ仏具において、外観は装飾性を有する略洋ナシ型形状からなり、下方には嵌合部２を有する本体と前記嵌合部凹に嵌る嵌合部を有し、その内部は凹の部の台座体からなる組み合わせ仏具。
【請求項２】
本体の内部が水瓶となっており花立として使用でき、請求項１記載の組み合わせ仏具。
【請求項３】
本体はリンからなる請求項１記載の組み合わせ仏具。
【請求項４】
台座部の凹部はロウソク火立てからなる請求項１、２または３記載の組み合わせ仏具。
【請求項５】
台座部の凹部に断熱材からなる座を設けた、請求項４記載の組み合わせ仏具。
【考案の詳細な説明】
【技術分野】
【０００１】
本考案は、洋室を中心とした間取りの狭い現代の住環境に適した仏具であり、組み合わせた状態では室内インテリアとして機能し、お祈りの際には分解してそれぞれが仏具として使用できる組み合わせ仏具に関する。
【背景技術】
【０００２】
従来、亡き故人等を祀るための仏具は、その形態や大きさは仏壇、仏具として伝統的に受け継がれてきた。その形態や大きさは比較的空間に余裕のある日本間や仏間、あるいは仏壇に置かれ、その外観も一見して仏具として認識できる伝統的なものであった。近年、都会に代表されるようにマンションやアパート等のコンクリート住宅が多くなり、従来のような仏壇を置くにはそぐわなくなってきた。そこで、最近はペット仏具やインテリア仏具ともいわれるものも現れてきたが、その存在自体は一見して仏具としての形態とわかり、また個々にはその占有場所をとるものであった。
【先行技術文献】
【特許文献】
【０００３】
【特許文献１】実用新案登録第３１３６３５８号公報
【考案の概要】
【考案が解決しようとする課題】
【０００４】
洋間を中心とした住環境では、室内のスペースが限られるとともに、日常生活においては仏具としての存在が気づかれないような仏具が望まれている。そこで、本考案では一見して仏具としての存在がわからないようなインテリア性の高い置物として構成され、葬祭時にはそれらを分解することで、それぞれの仏具として機能するような新たな手段を提供することを目的としている。
【課題を解決するための手段】
【０００５】
本考案は、装飾品として自由に常設でき違和感なくリビング、あるいは机上に置くことができる。また、必要時にそれぞれ２分割することにより仏具として使用できる特徴を持つ。
【考案の効果】
【０００６】
最愛の人を亡くしたとき、故人の写真と本尊とこの仏具があれば、わざわざ仏壇を用意しなくても身近なところに配置して、祈り語らいの場を設けることができる。一見はただの「洋ナシ」オブジェのインテリアに見えるが分割することにより、仏具の基本、花・火・香・リンに変身する。また、花が常にあり、香りの良いお香を使用すれば室内が良い香りに満たされる。
【図面の簡単な説明】
【０００７】
【図１】図１は本考案の外形図である。
【図２】図２は本考案の断面図である。
【図３】図３は使用時に上下を２分割に分けた例を示す断面図である。
【図４】図４は他の実施例の外形図である。
【図５】図５は他の実施例の断面図である。
【図６】図６は使用時に上下を２分割に分けた例を示す断面図である。
【考案を実施するための形態】
【０００８】
本考案は、装飾品として自由に常設でき違和感なくリビング、机上に置くことができ、必要時に２分割して仏具として使用する目的を、外観略洋ナシ型形状からなり、下方には嵌合部を有する本体と、嵌合部凹に嵌る嵌合部を有し、その内部は凹の部の台座体と、により実現した。
【実施例１】
【０００９】
図１は本考案の実施例の外形図であり、一見して洋ナシの形をしている。
【００１０】
図２は本体1部と台座２を組み合わせることにより一体の形をなす。洋ナシの外観に見える。１部の内部は空洞で底の部分は塞いであり、花瓶を形成している。内部には、水を入れて生花などの一輪挿しとして使用できる。本体と別体の台座２は凹んだ皿状の香炉の中に線香受け３が入れてある。
【００１１】
図３は本考案の使用時における２分割の状態の断面図である。上部本体１の中には水が入り生花Eが入れてある。台座２には凹部中程に線香受け３が入っていて線香がのせてある断面図である。
【００１２】
図４は他の実施例を示す外形図である。本考案と同じ機能を有する部材は同一の番号を付し、詳細な説明は省略する。本体10の上部には持ち手Fが付いている。
【００１３】
図５は他の実施例の断面図であり、上部の本体10をリンに構成したものであり、本体の上部には持ち手Fを取り付けてある。リンとしての使用時には、持ち手Fを撮んで前後左右に振って鳴らす。
【００１４】
本体10と台座２を組み合わせることにより一体の形をなし、合体の状態では洋ナシの外観に見える。本体10の内部は空洞であり上部の中心から鎖５が下がっている。下方には重り６が付いている。上部に取り付けられた持ち手Fを撮んで前後左右に振ることによりリンの音が鳴る。
【００１５】
台座２の部分は凹んだ皿状になっている。皿の中にはセラミックの材料からなるロウソク立て４を別体として入れてある例である。図６は使用時における２分割の状態の断面図である。本体10の上部のリン、台座２の中程にロウソク立て４が入っていてロウソクが立ててある断面図である。
【産業上の利用可能性】
【００１６】
本考案の台座体はお香を入れて焚くことで香炉としても使用できる。
【符号の説明】
【００１７】
１    花立て
２    線香立て台座
３    線香受け
４    ロウソク立て
５    鎖
６    重り
10    リン
E     花
F     持手
【図１】
0003168930.tif 000003
【図２】
0003168930.tif 000004
【図３】
0003168930.tif 000005
【図４】
0003168930.tif 000006
【図５】
0003168930.tif 000007
【図６】
0003168930.tif 000008
【手続補正書】
【提出日】平成23年4月22日(2011.4.22)
【手続補正１】
【補正対象書類名】実用新案登録請求の範囲
【補正対象項目名】全文
【補正方法】変更
【補正の内容】
【実用新案登録請求の範囲】
【請求項１】
インテリアとしても使える組み合わせ仏具において、外観は装飾性を有する略洋ナシ型形状をなし、下方に嵌合凹部を有する本体と、上部に前記嵌合凹部に対応する嵌合凸部を有し、内部底面に線香受けを入れた台座体と、からなる組み合わせ仏具。
【請求項２】
本体を水瓶とし、花立として使用できる請求項１記載の組み合わせ仏具。
【請求項３】
本体内部を空洞とし、内部上方から鎖を下げ、鎖の下端に重りを付け、リンとして使用できる請求項１記載の組み合わせ仏具。
【請求項４】
台座体の内部底面にロウソク立てを配してなる請求項１、２または３記載の組み合わせ仏具。
【請求項５】
ロウソク立てが断熱材からなる請求項４記載の組み合わせ仏具。
【手続補正２】
【補正対象書類名】明細書
【補正対象項目名】全文
【補正方法】変更
【補正の内容】
【考案の詳細な説明】
【技術分野】
【０００１】
本考案は、洋室を中心とした間取りの狭い現代の住環境に適した仏具であり、組み合わせた状態では室内インテリアとして機能し、お祈りの際には分解してそれぞれが仏具として使用できる組み合わせ仏具に関する。
【背景技術】
【０００２】
従来、亡き故人等を祀るための仏具は、その形態や大きさは仏壇、仏具として伝統的に受け継がれてきた。その形態や大きさは比較的空間に余裕のある日本間や仏間、あるいは仏壇に置かれ、その外観も一見して仏具として認識できる伝統的なものであった。近年、都会に代表されるようにマンションやアパート等のコンクリート住宅が多くなり、従来のような仏壇を置くにはそぐわなくなってきた。そこで、最近はペット仏具やインテリア仏具ともいわれるものも現れてきたが、その存在自体は一見して仏具としての形態とわかり、また個々にはその占有場所をとるものであった。
【先行技術文献】
【特許文献】
【０００３】
【特許文献１】実用新案登録第３１３６３５８号公報
【考案の概要】
【考案が解決しようとする課題】
【０００４】
洋間を中心とした住環境では、室内のスペースが限られるとともに、日常生活においては仏具としての存在が気づかれないような仏具が望まれている。そこで、本考案では一見して仏具としての存在がわからないようなインテリア性の高い置物として構成され、葬祭時にはそれらを分解することで、それぞれの仏具として機能するような新たな手段を提供することを目的としている。
【課題を解決するための手段】
【０００５】
本考案は、装飾品として自由に常設でき違和感なくリビング、あるいは机上に置くことができる。また、必要時にそれぞれ仏具として使用できる特徴を持つ。
【考案の効果】
【０００６】
最愛の人を亡くしたとき、故人の写真と本尊とこの仏具があれば、わざわざ仏壇を用意しなくても身近なところに配置して、祈り語らいの場を設けることができる。一見はただの「洋ナシ」オブジェのインテリアに見えるが、分離することにより、仏具の基本、花・火・香・リンに変身する。また、花が常にあり、香りの良いお香を使用すれば室内が良い香りに満たされる。
【図面の簡単な説明】
【０００７】
【図１】図１は本考案に係る組み合わせ仏具の外形図である。
【図２】図２は同、断面図である。
【図３】図３は本体と台座体とを分離してそれぞれ使用する状態を示す断面図である。
【図４】図４は他の実施例の外形図である。
【図５】図５は同、断面図である。
【図６】図６は同、使用状態を示す断面図である。
【考案を実施するための形態】
【０００８】
本考案は、装飾品として自由に常設でき違和感なくリビング、机上に置くことができ、必要時に分離してそれぞれ仏具として使用する目的を、外観略洋ナシ型形状をなし、下方に嵌合凹部を有する本体と、嵌合凹部に対応する嵌合凸部を上部に有し、内部底面に線香受けまたはロウソク立てを配してなる台座体と、により実現した。
【実施例１】
【０００９】
図１は本考案に係る組み合わせ仏具の実施例の外形図であり、一見して洋ナシの形をしている。
【００１０】
図２は本体1と台座体２とを組み合わせることにより一体の形をなす。洋ナシの外観に見える。本体１の内部は空洞であり、底部は塞いであり、花瓶を形成している。本体１内部に水を入れ、生花などの一輪挿しとして使用できる。本体１の下端には別体の台座体２と組み合わせるための嵌合凹部７を配し、台座体２にはこの嵌合凹部７に対応する嵌合凸部８を配し、内部底面には線香受け３が入れてある。
【００１１】
図３は本体１と台座体２とを分離してそれぞれ使用する状態を示す断面図である。本体１内部空洞に水を入れ、生花Eが入れてある。台座体２の線香受け３に線香を挿して使用する。
【実施例２】
【００１２】
図４は他の実施例を示す外形図である。前記実施例と同じ機能を有する部材には同一の符号を付し、詳細な説明は省略する。本体１０の上部には持ち手Fを付けてある。
【００１３】
図５はその断面図であり、本体１０をリンとして、台座体２をロウソク立てとして使用するものである。
【００１４】
本体１０と台座体２とを組み合わせることにより一体の形をなし、その外観が洋ナシのように見える。本体１０の内部は空洞で、内部上方から鎖５を下げてある。その下端に重り６を付けてある。本体上部の持ち手Ｆを撮んで前後左右に振ることによりリンの音が鳴る。
【００１５】
図６は使用時状態を示す断面図であり、本体１０をリンとして使用し、台座体２の内部底面にロウソク立て４が入れてあり、ロウソク立てとして使用する。このロウソク立て４はセラミック等の断熱材により成形してある。
【産業上の利用可能性】
【００１６】
本考案の台座体はお香を入れて焚くことで香炉としても使用できる。
【符号の説明】
【００１７】
１,１０  本体
２    台座体
３    線香受け
４    ロウソク立て
５    鎖
６    重り
７    嵌合凹部
８    嵌合凸部
E     花
F     持ち手
【手続補正４】
【補正対象書類名】図面
【補正対象項目名】図３
【補正方法】変更
【補正の内容】
【図３】
0003168930.tif 000009
【手続補正５】
【補正対象書類名】図面
【補正対象項目名】図５
【補正方法】変更
【補正の内容】
【図５】
0003168930.tif 000010